(57)【要約】【課題】  非接触ＩＣリーダライタにおいて、常時電波を放出し非接触ＩＣメディアのかざしを検知していたため、別の非接触ＩＣリーダライタが近傍にあると電波の干渉を起こし、メディアの検知ができない状態になる。【解決手段】  通常は電波を発生させず、赤外線／近赤外線を発生させ、非接触ＩＣメディアに対する反射光の有無を検知することで、常時電波発生を無くす。【選択図】  図１
2007219898.tif 000002
【特許請求の範囲】
【請求項１】
非接触ＩＣメディアと決済情報の送受を行う非接触型端末装置であって、
前記非接触ＩＣメディアと電波の送受を行うアンテナ部と、
前記非接触ＩＣメディアが前記非接触型端末装置の近傍に存在するか否かを検知するためのセンサ手段と、
前記アンテナ部を介して前記非接触ＩＣメディアと情報を送受し、処理する非接触ＩＣメディア制御手段と
前記非接触ＩＣメディアと情報の送受を行うため、前記非接触ＩＣメディア制御手段と情報の送受を行う情報処理手段とを有し、
非接触ＩＣメディア制御手段は、前記情報処理手段から情報を取得して前記非接触ＩＣメディアと送受する情報を作成し、前記センサ手段が非接触ＩＣメディアを検知した場合に、前記アンテナ部を介して前記非接触ＩＣメディアと前記作成した情報の送受を行う、非接触型端末装置。
【請求項２】
前記センサ手段は、光センサ、超音波センサ、画像認識センサ、温度センサの何れかのセンサを使用して、前記非接触ＩＣメディアの存在を検出する、請求項１に記載の非接触型端末装置。
【請求項３】
前記センサ手段は、前記非接触ＩＣメディアの使用者が前記非接触型端末装置の近傍に存在することを検知する機能を有し、
非接触ＩＣメディア制御手段は、前記センサ手段から、前記非接触ＩＣメディアの使用者が前記非接触型端末装置の近傍に存在することを示す検出結果を取得した場合、前記アンテナ部を介して前記非接触ＩＣメディアと情報の送受を行う、請求項１に記載の非接触型端末装置。
【請求項４】
前記センサ手段は、光センサ、超音波センサ、画像認識センサ、温度センサの何れかのセンサを使用して、前記非接触ＩＣメディアの使用者の存在を検出する、請求項３に記載の非接触型端末装置。
【請求項５】
前記非接触型端末装置は、前記非接触ＩＣメディアと金銭に関する情報の送受を行う、請求項１から４の何れかに記載の非接触型端末装置。
【発明の詳細な説明】
【技術分野】
【０００１】
本発明は、非接触ＩＣメディアのリーダライタに関し、より詳細には、非接触ＩＣメディアのリーダライタを搭載した非接触型端末装置に関する。
【背景技術】
【０００２】
従来、非接触型端末装置等の非接触型端末装置に搭載されている非接触ＩＣリーダライタは、非接触ＩＣカードなどの非接触ＩＣメディアが非接触ＩＣリーダライタにかざされたときに、非接触ＩＣメディアに記憶された残高を表示するなどのサービスを行う。そのため、非接触ＩＣメディアが非接触ＩＣリーダライタにかざされたことを自動で検出し、非接触ＩＣメディアがかざされる場合には即座に非接触ＩＣメディアと通信できるように、非接触ＩＣリーダライタから常時電波を発生し続けていた。
【０００３】
非接触ＩＣリーダライタは、上述の常時発生する電波にコマンドを載せて送信しており、非接触ＩＣメディアはその電波を受信すると自身のＣＰＵを駆動し、コマンドに対する応答を返送する。非接触ＩＣリーダライタは、この応答の受信の成功により、非接触ＩＣメディアを検知していた(例えば特許文献１および２を参照）。
【特許文献１】特開２００４−２２０４９２号公報
【特許文献２】特開２００４−１１０８１５号公報
【発明の開示】
【発明が解決しようとする課題】
【０００４】
背景技術に記載の非接触型端末装置に搭載された非接触ＩＣリーダライタでは、上述のように、非接触ＩＣメディアのＣＰＵを駆動するための電波を常時発生させ、そのＣＰＵからの応答の有無でＩＣメディアのかざしの有無を検知していた。そのため、別の非接触ＩＣリーダライタが近傍にあると、電波の干渉を起こし非接触ＩＣメディアの検知ができない状態になることがあった。
【０００５】
本発明は上記問題を鑑みて、非接触ＩＣリーダライタが複数台近接して設置されていても、電波の干渉を起こさずに非接触ＩＣメディアと情報の送受が行える非接触ＩＣリーダライタを提供する。
【課題を解決するための手段】
【０００６】
上記課題を解決するため、本発明は、非接触ＩＣメディアと決済情報の送受を行う非接触型端末装置であって、前記非接触ＩＣメディアと電波の送受を行うアンテナ部と、
前記非接触ＩＣメディアが前記非接触型端末装置の近傍に存在するか否かを検知するためのセンサ手段と、前記アンテナ部を介して前記非接触ＩＣメディアと情報を送受し、処理する非接触ＩＣメディア制御手段と、前記非接触ＩＣメディアと情報の送受を行うため、前記非接触ＩＣメディア制御手段と情報の送受を行う情報処理手段とを有し、非接触ＩＣメディア制御手段は、前記情報処理手段から情報を取得して前記非接触ＩＣメディアと送受する情報を作成し、前記センサ手段が非接触ＩＣメディアを検知した場合に、前記アンテナ部を介して前記非接触ＩＣメディアと前記作成した情報の送受を行う、非接触型端末装置とする。
【０００７】
ここで前記センサ手段は、光センサ、超音波センサ、画像認識センサ、温度センサの何れかのセンサを使用して、前記非接触ＩＣメディアの存在を検出するものとする。
【０００８】
これにより、非接触ＩＣリーダライタが複数台近接して設置されていても、個々のリーダライタが異なるタイミングで電波を発振するため、電波干渉を軽減することができる。
【０００９】
また前記センサ手段は、前記非接触ＩＣメディアの使用者が前記非接触型端末装置の近傍に存在することを検知する機能を有し、非接触ＩＣメディア制御手段は、前記センサ手段から、前記非接触ＩＣメディアの使用者が前記非接触型端末装置の近傍に存在することを示す検出結果を取得した場合、前記アンテナ部を介して前記非接触ＩＣメディアと情報の送受を行うものとする。
【００１０】
ここで全記センサ手段は、光センサ、超音波センサ、画像認識センサ、温度センサの何れかのセンサを使用して、前記非接触ＩＣメディアの使用者の存在を検出するものとする。
【００１１】
非接触ＩＣメディアを検出するためにセンサを搭載する場合、センサの種類によっては通信用のアンテナ近傍にセンサを設置する必要性が生じる。しかし本発明によれば、非接触ＩＣメディアの使用者を検出するため、非接触型端末装置内におけるセンサの取り付け位置の自由度が向上する。
【００１２】
また前記非接触型端末装置は、前記非接触ＩＣメディアと金銭に関する情報の送受を行うものとする。
【発明の効果】
【００１３】
本発明によれば、非接触ＩＣリーダライタが電波を発生する間隔を、時刻やリーダライタの装置ＩＤに基づき常時変動させることにより、非接触ＩＣリーダライタが近傍に複数あった場合でも電波発生の衝突の頻度を減らすことができる。
【００１４】
また、通常は電波を発生させずセンサにより非接触ＩＣメディアを検知することにより、非接触ＩＣリーダライタが近傍に複数あった場合の電波の衝突を無くすことができる。
【００１５】
このような非接触ＩＣリーダライタを非接触型端末装置に搭載することにより、非接触型端末装置は、非接触ＩＣメディアがかざされたことの検知ができなくメディア内の残高表示や決済ができない状態になることを排除できる。
【発明を実施するための最良の形態】
【００１６】
【実施例１】
【００１７】
本発明の実施例１について説明する。図１は、本発明の非接触ＩＣリーダライタを搭載した非接触型端末装置の構造図で、非接触ＩＣメディアをかざして使用する例を示している。図２は、その概観の斜視図である。
【００１８】
図１において、１は非接触ＩＣリーダライタを搭載した非接触型端末装置、６は非接触ＩＣメディアである。本実施例において非接触型端末装置１は、金銭情報を取り扱い、決済処理等に用いられる装置として説明する。
【００１９】
非接触型端末装置１において、２は非接触型端末装置１の動作を制御する制御部、３は非接触ＩＣメディア６と情報の送受信を行うための電波送受信アンテナ部（本発明におけるアンテナ部に相当する）、４は決済処理等で使用するキー入力部、５は決済処理等で使用する表示部、７は非接触ＩＣメディアを検知するために使用する赤外線／近赤外線発光ＬＥＤ、８は非接触ＩＣメディアを検知するために使用する赤外線／近赤外線受光ダイオードである。
【００２０】
非接触型端末装置１の制御部２は、非接触ＩＣメディア検知手段１０、電波発振・停止時間計算手段１１（本発明における発信時間算出手段に相当する）、時計装置１２、電波発振間隔設定手段１３、非接触ＩＣメディア制御手段１４、決済処理手段１５（本発明における情報処理手段に相当する）、装置ＩＤ１６、非接触ＩＣメディア有無検知手段１７から構成されている。
【００２１】
非接触ＩＣメディア有無検知手段１７と、赤外線／近赤外線発光ＬＥＤ７と、赤外線／近赤外線受光ダイオード８とで、本発明におけるセンサ手段を構成するものとする。
【００２２】
図中、電波送受信アンテナ部３、赤外線／近赤外線発光ＬＥＤ７、赤外線／近赤外線受光ダイオード８、非接触ＩＣメディア検知手段１０、電波発振・停止時間計算手段１１、時計装置１２、電波発振間隔設定手段１３、非接触ＩＣメディア制御手段１４、装置ＩＤ１６、非接触ＩＣメディア有無検知手段１７は、本発明の非接触ＩＣリーダライタとしての機能を実行するために必要な構成要素である。
【００２３】
非接触ＩＣメディア検知手段１０は、電波発振・停止時間計算手段１１が算出した時間間隔に基づいて電波送信アンテナ部３から電波を発振させて、その電波に対する応答を検知することにより、非接触ＩＣメディア６が非接触型端末装置１（電波送受信アンテナ部３）にかざされたか否かを検知する。そして、この検知結果を非接触ＩＣメディア制御手段１４に送出する。
【００２４】
非接触ＩＣメディア有無検知手段１７は、赤外線／近赤外線発光ＬＥＤ７および赤外線／近赤外線受光ダイオード８を用いて非接触ＩＣメディア６が非接触型端末装置１にかざされたか否かを検知する。そして検知結果結果を非接触ＩＣメディア制御手段１４に送出する。
【００２５】
決済処理手段１５は、「非接触ＩＣメディア６が非接触型端末装置１にかざされた」という非接触ＩＣメディア制御手段１４の判断を受けて、非接触ＩＣメディア制御手段１４を介して電波送受信アンテナ部３を制御して、非接触ＩＣメディア６と決済関連の命令、応答のやり取りを行う。またそれと同時に、キー入力部４と表示部５を制御して決済処理を行う。
【００２６】
電波発振間隔設定手段１３は、電波送受信アンテナ部３から発振する電波の発振間隔最小時間と最大時間を設定する。
【００２７】
電波発振・停止時間計算手段１１は、電波発振間隔設定手段１３、時計装置１２および装置ＩＤ１６をもとに、非接触型端末装置１に特有である、次回の電波発生までの時間を計算する。そして計算した時間を非接触ＩＣメディア検知手段１０へ送出する。
【００２８】
非接触ＩＣメディア制御手段１４は、非接触ＩＣメディア検知手段１０または非接触ＩＣメディアの有無判定手段１７からの検出結果により、非接触ＩＣメディアが非接触型端末装置１にかざされたか否かを判定する。
【００２９】
また非接触ＩＣメディア制御手段１４は、非接触ＩＣメディア６に対する命令の生成と電波送受信アンテナ部３を介した命令の送信を行い、その命令に対する応答を電波送受信アンテナ部３から取得して応答に対する処理を行う。処理等の結果は、必要に応じて決済処理手段１５に送出する。
【００３０】
次に、実施例１における非接触型端末装置１の動作について説明する。
【００３１】
非接触型端末装置１は、非接触型端末装置１が複数台が近接して存在する中で電波の干渉を起こさずに非接触ＩＣメディア６と送受信を行うため、電波発振の間隔を変えて非接触ＩＣメディア６を検知する。そしてその後、非接触ＩＣメディアを制御して決済処理を行う。これを図３のフローチャートを用いて説明する。
【００３２】
まず、電波発振・停止時間計算手段１１は、時計装置１２から取得した年月日時分秒等の時刻情報と、装置固有の装置ＩＤ１６と、電波発振間隔設定手段１３によって端末内に設定された電波発振間隔の最小時間と最大時間とをもとに、所定のアルゴリズムによって次回の電波発生までの時間を計算する（ステップＳ２０）。これは例えば、時刻情報と端末ＩＤをもとに乱数を生成し、その乱数値に応じて電波発振間隔の最小時間と最大時間との間に収まる時間に設定する、という方法を採用することができる。尚、電波発振間隔の最小時間と最大時間の間に収まり、その非接触型端末装置１に固有の時間を計算する方法であれば、これに限るものではない。
【００３３】
電波発振・停止時間計算手段１１で計算した時間が経過後、非接触ＩＣメディア検知手段１０は、アンテナ・電波送受信部３に電波を発生させ（ステップＳ２１）、伝送波を通して非接触ＩＣメディア６に対する命令（非接触ＩＣメディア６を検知するためのコマンド）を送る（ステップＳ２２）。
【００３４】
非接触ＩＣメディア６が非接触型端末装置１にかざされていない場合（ステップＳ２３のＮｏ分岐）、非接触ＩＣメディア検知手段１０において応答を取得できないため、電波送受信アンテナ部３に対して電波の発生を停止させる（ステップＳ２４）。そしてステップＳ２０に戻る。
【００３５】
非接触ＩＣメディア６が非接触型端末装置１にかざされていた場合（ステップＳ２３のＹｅｓ分岐）、非接触ＩＣメディア検知手段１０は前記命令に対する応答を取得し、これにより非接触ＩＣメディア６を検出する。そして非接触ＩＣメディア制御手段１４は、非接触ＩＣメディア検知手段１０からの検出結果を受けて非接触ＩＣメディアが非接触型端末装置１にかざされたと判定する（ステップＳ２５）。
【００３６】
決済処理手段１５はこの判定結果を受けて、非接触ＩＣメディア制御手段１４を通して決済関連の命令、応答の送受信を行い（ステップＳ２６）、同時にキー入力部４と表示部５を制御し、決済処理を行う（ステップＳ２７）。
【００３７】
決済処理が終了した場合、決済処理手段１５は、非接触ＩＣメディア制御手段１４を介して電波送受信アンテナ部３に対して電波の発生を停止させる（ステップＳ２８）。そしてステップＳ２０に戻り、電波発振・停止時間計算手段１１において再度前述の次回電波発生時間を計算し、次回の非接触ＩＣメディアの検知待ち処理状態になる。
【００３８】
非接触型端末装置１からの電波発生間隔は、前述のように年月日時分秒等の時刻情報と装置固有の装置ＩＤから所定のアルゴリズムに基づいて計算され、常に前回と違った間隔となるので、近傍にある他端末の電波発生と重なることを軽減できる。
【００３９】
このように本実施例によれば、非接触ＩＣリーダライタが電波を発生する間隔を、時刻情報や装置ＩＤに基づき常時変動させることにより、非接触ＩＣリーダライタが近傍に複数あった場合でも電波発生の衝突の頻度を減らすことができる。このため、本非接触ＩＣリーダライタを搭載した非接触型端末装置は、非接触ＩＣメディアがかざされたことの検知ができず、非接触ＩＣメディア内の残高の表示や決済ができない状態になる等の誤動作を排除することできる。
【００４０】
尚、本実施例において非接触型端末装置１は、金銭情報を取り扱い、決済処理等に用いられる装置として説明したが、非接触ＩＣメディアと情報を送受信する装置であればこれに限らない。例えば券売機等の装置に使用することが可能である。
【実施例２】
【００４１】
本発明の実施例２について説明する。尚、実施例２における非接触型端末装置は、実施例１で説明したものと同一であるため、同一符号を使用する。
【００４２】
実施例２における非接触型端末装置１の動作について説明する。
【００４３】
非接触型端末装置１は、ＬＥＤとダイオードからなるセンサを用いて、必要な非接触ＩＣメディアとのみ送受信を行う。この方法では、非接触ＩＣメディアがかざされたと判定するまで、非接触型端末装置１が電波を発生させる必要がない。これを図４のフローチャートを用いて説明する。
【００４４】
非接触ＩＣメディア有無検知手段１７は、一定間隔で赤外線／近赤外線発生ＬＥＤ７を制御し赤外線または近赤外線を発生させる（ステップＳ４１）。
【００４５】
それと同時に非接触ＩＣメディア有無検知手段１７は、赤外線／近赤外線受光ダイオード８が受光した反射光を示す信号を取得し、この信号により非接触ＩＣメディアの存在有無を確認する（ステップＳ４２）。
【００４６】
非接触ＩＣメディア有無検知手段１７が、赤外線／近赤外線受光ダイオード８から取得した信号により、反射光を検知しなかった場合（ステップＳ４３のＮｏ分岐）、非接触ＩＣメディアは存在しないということで、ステップＳ４１に戻る。
【００４７】
非接触ＩＣメディア有無検知手段１７が、赤外線／近赤外線受光ダイオード８から取得した信号により、反射光を検知した場合（ステップＳ４３のＹｅｓ分岐）、その情報を非接触ＩＣメディア制御手段１４に送出する。そして非接触ＩＣメディア制御手段１４は、その情報を受けて、非接触ＩＣメディアが非接触型端末装置１にかざされたと判定する（ステップＳ４４）。
【００４８】
決済処理手段１５はこの判定結果を受けて、非接触ＩＣメディア制御手段１４を通して非接触ＩＣメディアを実際に検知するための命令の送受信を行う（ステップＳ４５）。これは、非接触ＩＣメディア有無検知手段１７によって非接触ＩＣメディアの存在有無の判定はできているが、非接触ＩＣメディアを識別する情報等は未取得であるため、それを取得するためである。
【００４９】
決済処理手段１５はステップＳ４５の後、決済関連の命令、応答の送受信を行い（ステップＳ４６）、同時にキー入力部４と表示部５を制御し、決済処理を行う（ステップＳ４７）。
【００５０】
決済処理が終了した場合、決済処理手段１５は、非接触ＩＣメディア制御手段１４を介して電波送受信アンテナ部３に対して電波の発生を停止させる（ステップＳ４８）。そしてステップＳ４１に戻り、赤外線／近赤外線発生ＬＥＤ７と赤外線／近赤外線受光ダイオード８は、赤外線／近赤外線の反射光により非接触ＩＣメディアを検知する状態に戻る。
【００５１】
尚、本実施例２では、赤外線／近赤外線発生ＬＥＤと赤外線／近赤外線受光ダイオードを用い、それらを制御して非接触ＩＣメディアの存在の有無を検知する例を説明したが、非接触ＩＣメディアの有無を検知する方法はこれに限るものではない。例えば、赤外線／近赤外線以外の波長の光を使用した光センサ、物体に超音波を発したときに反射して戻ってくる反射波を検出することで物体を検知する超音波センサ、画像認識センサとして撮像して物体を検知するカメラ、温度センサなどを使用して、非接触型端末装置にかざされた非接触ＩＣメディアを検出するようにしてもよい。
【００５２】
また、非接触ＩＣメディアそのものではなく、非接触ＩＣメディアの使用者を検知するようにし、使用者の接近を検知した場合にのみ電波を発生して非接触ＩＣメディアと情報の送受信を行うようにしてもよい。この場合、使用者の検知は、光センサ、超音波センサ、画像認識センサ、温度センサなどを用いることが可能である。
【００５３】
また使用するセンサは、適宜選ぶことで、常時電波を発生させて非接触ＩＣメディアを検知する場合よりも低消費電力を達成することも可能である。
【００５４】
このように本実施例２によれば、通常は電波を発生させず、センサを使用して非接触ＩＣメディアを検知した場合にのみ電波を発することにより、非接触ＩＣリーダライタが近傍に複数あった場合の電波の衝突を無くすことができる。このため、本非接触ＩＣリーダライタを搭載した非接触型端末装置は、非接触ＩＣメディアがかざされたことの検知ができず、非接触ＩＣメディア内の残高の表示や決済ができない状態になる等の誤動作を排除することできる。
【００５５】
尚、本実施例において非接触型端末装置１は、金銭情報を取り扱い、決済処理等に用いられる装置として説明したが、非接触ＩＣメディアと情報を送受信する装置であればこれに限らない。例えば券売機等の装置に使用することが可能である。
【図面の簡単な説明】
【００５６】
【図１】本発明の非接触ＩＣリーダライタを搭載した非接触型端末装置の構造図である。
【図２】本発明の非接触ＩＣリーダライタを搭載した非接触型端末装置の概観の斜視図である。
【図３】電波発振の間隔を変え非接触ＩＣメディアを検知し、その後非接触ＩＣメディアを制御する仕組みを説明するためのフローチャートである。
【図４】赤外線／近赤外線の反射光により非接触ＩＣメディアを検知し、その後非接触ＩＣメディアを制御する仕組みを説明するためのフローチャートである。
【符号の説明】
【００５７】
１  非接触型端末装置
２  制御部
３  アンテナ・電波送受信部
４  キー入力部
５  表示部
６  非接触ＩＣメディア
７  赤外線／近赤外線発光ＬＥＤ
８  赤外線／近赤外線受光ダイオード
１０  非接触ＩＣメディア検知手段
１１  電波発振・停止時間計算手段、
１２  時計装置
１３  電波発振間隔設定手段
１４  非接触ＩＣメディア制御手段
１５  決済処理手段
１６  装置ＩＤ
１７  非接触ＩＣメディア有無検知手段
【図１】
2007219898.tif 000003
【図２】
2007219898.tif 000004
【図３】
2007219898.tif 000005
【図４】
2007219898.tif 000006